(57)【特許請求の範囲】
【請求項１】
幼児が握るためのハンドル（４）の外周に装着されるハンドルカバー（７）を備えたハンドルカバー装置であって、
ハンドルカバー（７）にそれぞれ連結紐（２４）により連結された左右一対の幼児用手袋（８）が具備され、ハンドルカバー（７）の外周面の少なくとも左右両側の握る部位に、第１面ファスナー（２１）が設けられ、左右幼児用手袋（８）の手のひら側の表面に第１面ファスナー（２１）に着脱可能に接着される第２面ファスナー（２５）が設けられていることを特徴とするハンドルカバー装置。
【請求項２】
前記第１面ファスナー（２１）は、ハンドルカバー（７）の外周面の握る部位に対応して左右一対設けられ、この一対の第１面ファスナー（２１）を覆うための左右一対の覆い体（９）が設けられ、各覆い体（９）はそれぞれ連結紐（２９）によりハンドルカバー（７）に連結され、各覆い体（９）の裏面に、前記第１面ファスナー（２１）に着脱可能に接着される第３面ファスナー（３０）が設けられていることを特徴とする請求項１に記載のハンドルカバー装置。
【請求項３】
前記ハンドルカバー（７）はハンドル（４）の外周に巻き付け可能な長方形状に形成され、ハンドルカバー（７）の巻き付け方向の両端部に互いに接着可能な端部面ファスナー（１７，１８）が設けられていることを特徴とする請求項１又は２に記載のハンドルカバー装置。
【請求項４】
前記左右幼児用手袋（８）は、手の指を入れる部分が親指だけが分かれて他の指は１つにまとめられている手袋であり、左右幼児用手袋（８）の手のひら側の表面における手のひらに対応する部分に前記第２面ファスナー（２５）が設けられ、手の指に対応する部分に前記第２面ファスナー（２５）と同色の装飾体（２７）が左右に間隔をおいて複数個設けられ、複数の装飾体（２７）は第２面ファスナー（２５）と共に幼児用手袋（８）の手のひら側の表面を動物の手のひらのような模様に装飾していることを特徴とする請求項１〜３のいずれかに記載のハンドルカバー装置。
【発明の詳細な説明】
【技術分野】
【０００１】
本発明は、例えば自転車用幼児座席等に具備された幼児が握るためのハンドルに装着されるハンドルカバー装置に関するものである。
【背景技術】
【０００２】
従来のハンドルカバー装置には、例えば自転車用幼児座席に設けられた幼児が握るためのハンドルにハンドルカバーを装着して、自転車用幼児座席に座った幼児が居眠り等をして頭がふらついてハンドルに頭が当たっても痛くないようにしたものがある（例えば特許文献１、特許文献２）。
【先行技術文献】
【特許文献】
【０００３】
【特許文献１】実用新案登録第３０５１１６７号公報
【特許文献２】実用新案登録第３０７０６３２号公報
【発明の概要】
【発明が解決しようとする課題】
【０００４】
しかし、従来では、寒い時期に自転車用幼児座席に座る場合には、幼児は手袋をして自転車用幼児座席に座るため、ハンドルカバーを装着したハンドルが握りにくくなり、このため幼児はハンドルから直ぐに手を離してしまうという問題があった。
本発明は上記問題点に鑑み、幼児が手袋をしてハンドルカバーを装着したハンドルを握る場合でも、ハンドルから直ぐに手を離すのを防止できるハンドルカバー装置を提供することを目的としている。
【課題を解決するための手段】
【０００５】
本発明における課題解決のための具体的手段は、次の通りである。
この技術的課題を解決する本発明の技術的手段は、幼児が握るためのハンドル４の外周に装着されるハンドルカバー７を備えたハンドルカバー装置であって、
ハンドルカバー７にそれぞれ連結紐２４により連結された左右一対の幼児用手袋８が具備され、ハンドルカバー７の外周面の少なくとも左右両側の握る部位に、第１面ファスナー２１が設けられ、左右幼児用手袋８の手のひら側の表面に第１面ファスナー２１に着脱可能に接着される第２面ファスナー２５が設けられている点にある。
【０００６】
また、本発明の他の技術的手段は、前記第１面ファスナー２１は、ハンドルカバー７の外周面の握る部位に対応して左右一対設けられ、この一対の第１面ファスナー２１を覆うための左右一対の覆い体９が設けられ、各覆い体９はそれぞれ連結紐２９によりハンドルカバー７に連結され、各覆い体９の裏面に、前記第１面ファスナー２１に着脱可能に接着される第３面ファスナー３０が設けられている点にある。
【０００７】
また、本発明の他の技術的手段は、前記ハンドルカバー７はハンドル４の外周に巻き付け可能な長方形状に形成され、ハンドルカバー７の巻き付け方向の両端部に互いに接着可能な端部面ファスナー１７，１８が設けられている点にある。
また、本発明の他の技術的手段は、前記左右幼児用手袋８は、手の指を入れる部分が親指だけが分かれて他の指は１つにまとめられている手袋であり、左右幼児用手袋８の手のひら側の表面における手のひらに対応する部分に前記第２面ファスナー２５が設けられ、手の指に対応する部分に前記第２面ファスナー２５と同色の装飾体２７が左右に間隔をおいて複数個設けられ、複数の装飾体２７は第２面ファスナー２５と共に幼児用手袋８の手のひら側の表面を動物の手のひらのような模様に装飾している点にある。
【発明の効果】
【０００８】
本発明によれば、寒い時期にハンドルを握る場合、幼児が握るためのハンドルの外周にハンドルカバーを装着して、幼児用手袋を幼児の両手に装着すれば、幼児の両手は幼児用手袋により寒さから保護される。このとき、ハンドルカバーを装着したハンドルが握りにくくなり、このため幼児はハンドルから直ぐに手を離してしまうおそれがあるが、幼児がハンドルを握ると、左右の幼児用手袋はハンドルを両手で握った状態で第１面ファスナー
と第２面ファスナーとを介してハンドルカバーに接着されるため、ハンドルカバーを装着したハンドルを幼児が幼児用手袋を装着して握る場合でも、ハンドルから直ぐに手を離すのを確実に防止することができる。
【図面の簡単な説明】
【０００９】
【図１】本発明の一実施形態を示すハンドルカバー装置を上側から見た斜視図である。
【図２】同ハンドルカバーに幼児用手袋が接着された状態を示すハンドルカバー装置の斜視図である。
【図３】同ハンドルカバー装置を下側から見た斜視図である。
【図４】同自転車用幼児座席のハンドルにハンドルカバー装置を装着した状態の斜視図である。
【発明を実施するための形態】
【００１０】
以下、本発明の実施の形態を図面に基づいて説明する。
図１〜図４は本発明の一実施形態を示している。図１〜図４において、ハンドルカバー装置１は、自転車用幼児座席３のハンドル４に装着されるもので、幼児が握るためのハンドル４の外周に装着されるハンドルカバー７と、ハンドルカバー７に連結された左右一対の幼児用手袋８と、ハンドルカバー７に連結された左右一対の覆い体９とを備えている。
【００１１】
ここで、自転車用幼児座席３は、図４に示すように、自転車のハンドルバー１１の左右立ち上り部１１ａの間に配置されて、自転車用幼児座席３の底部等が自転車のハンドルステム等に取り付けられるようになっている。
この自転車用幼児座席３は、座部と背もたれ部とを有する座席本体１３と、この座席本体１３の前部の下部側に設けられた脚載せ部材１４と、座席本体１３の後端側に上下調整自在に設けられたヘッドレスト１５と、座席本体１３の前上部に前後調整自在に設けられたハンドル４とを備え、座席本体１３に座った幼児が両手でハンドル４を握るようになっている。
【００１２】
図１〜図４において、ハンドルカバー７は表地と裏地と中綿とを有しクッション性、柔軟性、保温性の高い厚手の素材で構成されて、ハンドル４の外周に巻き付け可能な長方形状に形成されている。このハンドルカバー７の巻き付け方向（幅方向）の両端部の表面側と裏面側とに互いに接着可能な端部面ファスナー１７，１８が設けられている。
ハンドルカバー７の外周面の左右両側の握る部位に左右一対の第１面ファスナー２１が設けられている。各第１面ファスナー２１は黒色の楕円形状に形成され、ハンドルカバー７の外周面にそれぞれ縫着されている。
【００１３】
左右の幼児用手袋８は、表地と裏地と中綿とを有しクッション性、柔軟性及び保温性の高い厚手の素材で構成され、手の指を入れる部分が親指だけが分かれて他の指は１つにまとめられている手袋（ミトン）に形成され、それぞれナイロン製の連結紐２４によりハンドルカバー７の左右両端に連結されている。
左右幼児用手袋８の手のひら側の表面における手のひらに対応する部分に、第１面ファスナー２１に着脱可能に接着される第２面ファスナー２５が縫着により設けられている。第２面ファスナー２５は第１面ファスナー２１に対応した黒色の楕円形状に形成されている。
【００１４】
左右幼児用手袋８の手のひら側の表面における手の指に対応する部分に前記第２面ファスナー２５と同色の円形状の装飾体２７が左右に間隔をおいて複数個設けられており、装飾体２７は第２面ファスナー２５と共に幼児用手袋８の手のひら側の表面を動物の手のひらのような模様に装飾している。
左右の覆い体９は一対の第１面ファスナー２１を覆うためのもので、各覆い体９はそれぞれナイロン製の連結紐２９によりハンドルカバー７の左右両端に連結されている。各覆い体９の裏面に、前記第１面ファスナー２１に着脱可能に接着される第３面ファスナー３０が縫着により設けられている。
【００１５】
なお、ハンドルカバー７の外周面、左右幼児用手袋８の基部８ａの外表面及び覆い体９の表面には、ヒョウ柄等の動物をイメージする模様が施されている。
上記実施形態によれば、自転車に取り付けた自転車用幼児座席３に幼児を座らせる場合、自転車用幼児座席３のハンドル４の外周にハンドルカバー７を巻き付けて端部面ファスナー１７，１８同士を接着すれば、ハンドル４にハンドルカバー７乃至ハンドルカバー装置１を簡単に装着することができる。このとき、自転車用幼児座席３に座った幼児が居眠り等をして頭がふらついてハンドル４に頭が当たっても、ハンドル４にはハンドルカバー７が被覆されており、頭をハンドルカバー７で痛くならないように保護することができる。
【００１６】
そして、寒い時期には、ハンドルカバー７に連結紐２４で連結した幼児用手袋８を幼児の両手に装着すれば、幼児の両手は幼児用手袋８により寒さから保護される。このとき、ハンドルカバー７を装着したハンドル４が握りにくくなり、このため幼児はハンドル４から直ぐに手を離してしまうおそれがあるが、幼児がハンドル４を握ると、左右幼児用手袋８はハンドル４を両手で握った状態で第１面ファスナー２１と第２面ファスナー２５とを介してハンドルカバー７に接着されるため、ハンドルカバー７を装着したハンドル４を幼児が幼児用手袋８を装着して握る場合でも、ハンドル４から直ぐに手を離すのを確実に防止することができる。
【００１７】
また、幼児が幼児用手袋８を装着しない場合には、ハンドルカバー７の左右第１面ファスナー２１に対し第３面ファスナー３０を介して左右覆い体９を接着すれば、左右第１面ファスナー２１を左右覆い体９で覆って、幼児の頭等が第１面ファスナー２１に直接当たらないように覆い体９で保護することができる。
また、幼児が幼児用手袋８を装着する場合でも、幼児用手袋８をハンドルカバー７に接着しておく必要がないと考えられる場合には、左右第１面ファスナー２１に対し第３面ファスナー３０を介して左右覆い体９を接着すれば、幼児用手袋８をハンドルカバー７に接着させないで済むようになすことができる。
【００１８】
なお、前記実施形態によれば、第１面ファスナー２１は、ハンドルカバー７の外周面の握る部位に対応して左右一対設けられているが、これに代え、ハンドルカバー７の外周面の左右の握る部位に対応して連続した１つの第１ファスナー２１を設けるようにしてもよく、要するにハンドルカバー７の外周面の少なくとも左右両側の握る部位に第１面ファスナー２１が設けられていればよい。また、第１面ファスナー２１の外面を軟らかく形成できる場合等には、第１面ファスナー２１をハンドルカバー７の外周面全体に亘るように設けるようにしてもよいし、また、左右覆い体９を省略するようにしてもよい。
【００１９】
また、前記実施形態では、自転車用幼児座席３のハンドル４にハンドルカバー装置１を装着するようにしているが、ハンドルカバー装置１が装着されるハンドルは自転車用幼児座席３のハンドル４に限定されず、おもちゃの乗り物のハンドルその他の幼児が握るためのハンドルであればよい。
また、左右の幼児用手袋８は、ミトンに限定されず５本指のある手袋であってもよい。
【符号の説明】
【００２０】
１      ハンドルカバー装置
４      ハンドル
７      ハンドルカバー
８      幼児用手袋
９      覆い体
１７    端部面ファスナー
１８    端部面ファスナー
２１    第１面ファスナー
２４    連結紐
２５    第２面ファスナー
２７    装飾体
２９    連結紐
３０    第３面ファスナー
【図２】
0005632405.tif 000002
【図３】
0005632405.tif 000003
【図４】
0005632405.tif 000004
【図１】
0005632405.tif 000005